【手続補正書】
【提出日】平成23年1月5日(2011.1.5)
【手続補正１】
【補正対象書類名】特許請求の範囲
【補正対象項目名】全文
【補正方法】変更
【補正の内容】
【特許請求の範囲】
【請求項１】
押出しによる積層製造システムの押出ヘッドに使用される端部洗浄アセンブリであって、
前記端部洗浄アセンブリは、
押出しによる積層製造システムの構築室内に取り付けられるように構成された支持部品と、
前記支持部品に取り付けられたパージレッジアセンブリと、
前記パージレッジアセンブリに隣接して前記支持部品に調節可能に取り付け可能な少なくとも１つのセットブロックと、
前記支持部品が前記構築室内に取り付けられた際に、前記少なくとも１つのセットブロックの、前記支持部品に対する高さを調節し、前記構築室内において前記少なくとも１つのセットブロックを調節された高さに固定して保持するように構成された少なくとも１つの機構と、
前記少なくとも１つのセットブロックに着脱可能に取り付け可能な少なくとも１つのコンタクトヘッドと、を備え、
前記少なくとも１つのコンタクトヘッドは、前記押出ヘッドの少なくとも１つの押出端部と係合するように構成され、
前記パージレッジアセンブリは、
前記支持部品が前記構築室内に取り付けられた際に、水平面に対し第１の角度で延在するように構成された第１の表面と、
前記支持部品が前記構築室内に取り付けられた際に、水平面に対し第２の角度で延在するように構成された第２の表面と、を備え、前記第２の角度は前記第２の角度よりも浅い、
端部洗浄アセンブリ。
【請求項２】
前記パージレッジアセンブリおよび前記少なくとも１つのセットブロックに隣接して前記支持部品に取り付け可能な偏向ブロックをさらに有する、請求項１に記載の端部洗浄アセンブリ。
【請求項３】
前記少なくとも１つのセットブロックの、前記支持部品に対する高さを調節し、前記構築室内において前記少なくとも１つのセットブロックを調節された高さに固定して保持するように構成された前記少なくとも１つの機構は、少なくとも１つの止めねじを有する、請求項１に記載の端部洗浄アセンブリ。
【請求項４】
前記少なくとも１つのコンタクトヘッドは、前記押出端部の接触力により付勢される板を有することを特徴とする、請求項１に記載の端部洗浄アセンブリ。
【請求項５】
前記少なくとも１つのコンタクトヘッドは、前記板に隣接して配置されたブラシをさらに有することを特徴とする、請求項４に記載の端部洗浄アセンブリ。
【請求項６】
押出しによる積層製造システムの押出ヘッドに使用される端部洗浄アセンブリであって、
前記端部洗浄アセンブリは、
押出しによる積層製造システムの構築室内に取り付けられるように構成された支持部品と、
前記支持部品に取り付けられたパージレッジアセンブリと、
前記パージレッジアセンブリに隣接して前記支持部品に調節可能に取り付け可能な第１セットブロックと、
前記パージレッジアセンブリと前記第１セットブロックに隣接して前記支持部品に調節可能に取り付け可能な第２セットブロックと、
前記支持部品が前記構築室内に取り付けられた際に、前記第１セットブロックの、前記支持部品に対する高さを調節し、前記構築室内において前記第１セットブロックを第１の調節された高さに固定して保持するように構成された第１機構と、
前記支持部品が前記構築室内に取り付けられた際に、前記第１セットブロックに対する高さ調整と独立に、前記第２セットブロックの、前記支持部品に対する高さを調節し、前記構築室内において前記第２セットブロックを第２の調節された高さに固定して保持するように構成された第２機構と、
前記第１セットブロックに着脱可能に取り付け可能な第１コンタクトヘッドと、
前記第２セットブロックに着脱可能に取り付け可能な第２コンタクトヘッドと、を有する、端部洗浄アセンブリ。
【請求項７】
前記第１の調整された高さは、前記構築室内において、前記第２の調整された高さが前記第２コンタクトヘッドに位置している際の高さと比較して異なった高さで前記第１コンタクトヘッドに位置している
ことを特徴とする、請求項６に記載の端部洗浄アセンブリ。
【請求項８】
前記第１コンタクトヘッドは、前記押出ヘッドの第１押出端部の接触力により付勢される第１板と、前記第１板に隣接して配置された第１ブラシとを有することを特徴とする、請求項６に記載の端部洗浄アセンブリ。
【請求項９】
前記第２コンタクトヘッドは、前記押出ヘッドの第２押出端部の接触力により付勢される第２板と、前記第２板に隣接して配置された第２ブラシとを有することを特徴とする、請求項８に記載の端部洗浄アセンブリ。
【請求項１０】
前記パージレッジアセンブリは、前記支持部品が前記構築室内に取り付けられた際に水平面に対し所定の角度で延在するように構成された表面を有することを特徴とする、請求項６に記載の端部洗浄アセンブリ。
【請求項１１】
前記パージレッジアセンブリと前記第１セットブロックに隣接して前記支持部品に取り付けられた偏向ブロックをさらに有する、請求項６に記載の端部洗浄アセンブリ。
【手続補正２】
【補正対象書類名】明細書
【補正対象項目名】００１３
【補正方法】変更
【補正の内容】
【００１３】
端部洗浄アセンブリ２６は、一次モジュール３８、支持フレーム４０、および幕壁４２を有する。一次モジュール３８は、端部洗浄アセンブリ２６において、押出ヘッド２０の構築端部３４ａおよび支持端部３６ａと相互作用する部分である。支持フレーム４０は、ボルト４４で室壁３２に固定され、一次モジュール３８を室壁３２に固定するための取り付け場所を提供している。
【手続補正３】
【補正対象書類名】明細書
【補正対象項目名】００１５
【補正方法】変更
【補正の内容】
【００１５】
一次モジュール３８は、保持ブラケット４８、偏向ブロック５０、パージレッジアセンブリ５２、および拭取りアセンブリ５４および５５を有する。保持ブラケット４８は、Ｌ字型のブラケットで、相互に垂直に延在する壁部４８ａおよび腕部４８ｂを有する。壁部４８ａは、ナット５６で支持フレーム４０に固定されており、このため、腕部４８ｂは、偏向ブロック５０、パージレッジアセンブリ５２、および拭取りアセンブリ５４および５５に片持ち支持装置を提供することができる。
【手続補正４】
【補正対象書類名】明細書
【補正対象項目名】００２９
【補正方法】変更
【補正の内容】
【００２９】
拭取りアセンブリ５４は、さらにセットブロック８４を有する。セットブロック８４は、止めねじ６０および調整ボルト６２で腕部４８ｂ上に固定される。コンタクトヘッド５８は、セットブロック８４上に取り付けられ、フリッカー板８６およびブラシ８８を有する。フリッカー板８６はｙ−軸に沿ってブラシ８８の前に配置される。同様に、コンタクトヘッド６４は、フリッカー板９０およびブラシ９２を有し、フリッカー板９０はｙ−軸に沿ってブラシ９２の前に配置される。
【手続補正５】
【補正対象書類名】明細書
【補正対象項目名】００３２
【補正方法】変更
【補正の内容】
【００３２】
洗浄作業中、構築端部３４ａがｙ−軸に沿ってフリッカー板８６およびブラシ８８に心合せされ、支持端部３６ａがｙ−軸に沿ってフリッカー板９０およびブラシ９２に心合せされるように、ｘ−軸に沿って押出ヘッド２０が配置される。さらに、構築端部３４ａおよび支持端部３６ａがパージレッジアセンブリ５２の前部傾斜面７８の上方に配置されるように、ｙ−軸に沿って押出ヘッド２０が配置される。次に初期パージ作業が行われ、構築ライン３４および支持ライン３６の一方または両方は、所定量の構築材料を構築端部３４ａから、および／または所定量の支持材料を支持端部３６ａから押出す。押出されたパージ済み材料のストランドは、前部傾斜面７８上に堆積し、一次モジュール３８の下方に滑り落ちて廃棄容器（図示せず）に入る。パージ作業は、構築ライン３４および支持ライン３６内の任意の潜在的な材料蓄積を一掃する。
【手続補正６】
【補正対象書類名】明細書
【補正対象項目名】００３５
【補正方法】変更
【補正の内容】
【００３５】
図４は、一次モジュール３８の背面斜視図であり、拭取りアセンブリ５４および５５を較正するメカニズムを示している。図示のように、拭取りアセンブリ５５は、セットブロック９４をさらに有し、セットブロック９４は、止めねじ６６および調整ナット６８で腕部４８ｂ上に固定される。セットブロック８４および９４はそれぞれ上面８４ａおよび９４ａを有し、コンタクトヘッド５８は上面８４ａ上に配置され、コンタクトヘッド６４は上面９４ａ上に配置される。